(57)【要約】【課題】商品見本の展示空間の照明を均一且つやわらかな光にすると共に、省電力化し、且つメンテナンスの頻度を減少することができる自動販売機を提供する。【解決手段】展示空間２に配置した光透過性の商品見本３，３…の背面に面状発光体４を設けた自動販売機であり、面状発光体４は商品見本３，３…の背面の略全面に及んで配置され、導光板６と、導光板６の全後面を覆う反射シート７と、導光板６の全前面を覆う拡散シート８と、導光板６の端面側に配置される１乃至複数のＬＥＤ９，９…と、ＬＥＤ９，９…を被包すると共に、導光板６、反射シート７及び拡散シート８の端辺を被包する光非透過性の枠体１０とを備えた自動販売機である。導光板６は、全後面にＬＥＤ９，９…の光を反射させる反射部１１が形成されている。反射部１１は、導光板６の後面に、Ｖ形溝が形成されたものである。【選択図】図２
0003148425.tif 000002
【実用新案登録請求の範囲】
【請求項１】
展示空間に配置した光透過性の商品見本の背面に面状発光体を設けた自動販売機であって、前記面状発光体は、前記商品見本の背面の略全面に及んで配置され、導光板と、前記導光板の全後面を覆う反射シートと、前記導光板の全前面を覆う拡散シートと、前記導光板の端面側に配置される１乃至複数のＬＥＤと、前記ＬＥＤを被包すると共に、前記導光板、反射シート及び拡散シートの端辺を被包する光非透過性の枠体とを備え、前記導光板は、全後面に前記ＬＥＤの光を反射させる反射部が形成され、前記ＬＥＤの光を前記導光板によって前記導光板中に導き、前記反射部及び前記反射シートによって反射させ、前記拡散シートによって拡散させることにより、前記ＬＥＤの光を前記導光板前面の略全面から前方に略均一に照射し、前記商品見本を透過させて前記展示空間の前方へ照射させるように構成されたことを特徴とする自動販売機。
【請求項２】
前記ＬＥＤは、前記導光板の上下端面側、前記導光板の左右端面側、前記導光板の上端面側、前記導光板の下端面側、前記導光板の左端面側、又は、前記導光板の右端面側のいずれかに配置されることを特徴とする請求項１記載の自動販売機。
【請求項３】
前記展示空間内の前記商品見本の上方に、光透過性のロゴ表示体が配設されるロゴスペースが設けられ、前記面状発光体は、前記ロゴ表示体の背面全面に及んで延設され、前記ＬＥＤは、前記導光板の左右端面側、前記導光板の左端面側、又は、前記導光板の右端面側のいずれかに複数個配置され、前記面状発光体の前記ロゴ表示体の背面側に位置して配置されたＬＥＤと、前記商品見本の背面側に位置して配置されたＬＥＤとは、夫々別々に点滅及び／又は調光制御されるように構成されていることを特徴とする請求項１記載の自動販売機。
【請求項４】
前記展示空間内の前記商品見本の上方に、光透過性のロゴ表示体が配設されるロゴスペースが設けられ、前記面状発光体は、前記ロゴ表示体の背面全面に及んで延設され、前記ＬＥＤは、前記導光板の上下端面側、前記導光板の上端面側、又は、前記導光板の下端面側のいずれかに配置され、前記面状発光体の前記反射部は、前記商品見本の背面に位置する範囲よりも、前記ロゴ表示体の背面に位置する範囲がより多く反射するように形成されていることを特徴とする請求項１記載の自動販売機。
【請求項５】
展示空間に配置した光透過性の商品見本の背面に面状発光体を設けた自動販売機であって、前記展示空間内の前記商品見本の上方に、光透過性のロゴ表示体が配設されるロゴスペースが設けられ、
前記面状発光体は、前記商品見本の背面と、前記ロゴ表示体の背面とに、夫々の背面の略全面に及んで夫々配置され、導光板と、前記導光板の全後面を覆う反射シートと、前記導光板の全前面を覆う拡散シートと、前記導光板の端面側に配置される１乃至複数のＬＥＤと、前記ＬＥＤを被包すると共に、前記導光板、反射シート及び拡散シートの端辺を被包する光非透過性の枠体とを備え、
前記導光板は、全後面に前記ＬＥＤの光を反射させる反射部が形成され、
前記面状発光体のＬＥＤは、前記面状発光体毎に夫々、別々に点滅及び／又は調光制御されるように構成され、
前記ＬＥＤの光を前記導光板によって前記導光板中に導き、前記反射部及び前記反射シートによって反射させ、前記拡散シートによって拡散させることにより、前記ＬＥＤの光を前記導光板前面の略全面から前方に略均一に照射し、前記ロゴ表示体又は前記商品見本を透過させて前記展示空間の前方へ照射させるように構成されたことを特徴とする自動販売機。
【請求項６】
広告スペースに配置した光透過性の広告体の背面に面状発光体を設けた自動販売機であって、前記面状発光体は、前記広告体の略全面に及んで広がる導光板と、前記導光板の全後面を覆う反射シートと、前記導光板の全前面を覆う拡散シートと、前記導光板の端面側に配置される１乃至複数のＬＥＤと、前記ＬＥＤを被包すると共に、前記導光板、反射シート及び拡散シートの端辺を被包する光非透過性の枠体とを備え、前記導光板は、全後面に前記ＬＥＤの光を反射させる反射部が形成され、前記ＬＥＤの光を前記導光板によって前記導光板中に導き、前記反射部及び前記反射シートによって反射させ、前記拡散シートによって拡散させることにより、前記ＬＥＤの光を前記導光板前面の略全面から前方に略均一に照射し、前記広告体を透過させて前記広告スペースの前方へ照射させるように構成されたことを特徴とする自動販売機。
【請求項７】
前記反射部は、前記導光板の後面全面に並行に形成されるＶ形溝、又は、前記導光板の後面全面に印刷されるドットパターンであることを特徴とする請求項１乃至６のうちいずれか一に記載の自動販売機用照明装置。
【考案の詳細な説明】
【技術分野】
【０００１】
本考案は、商品見本の展示空間、及び、広告体を配置する広告スペースの照明を均一且つ省電力化すると共に、メンテナンスの頻度を減少することができる自動販売機に関する。
【背景技術】
【０００２】
近年、自販機の普及はめざましく、そのため、自販機にかかる電力や、メンテナンスの手間も膨大なものとなっている。
そこで、例えば、特許文献１は、従来の蛍光管に代えてＬＥＤの光源を用いることにより、省電力を図り、メンテナンスの頻度を減少することができる自動販売機用照明装置および自動販売機が記載されている。
又、例えば、特許文献２は、発光ダイオードの配置と、発光ダイオードを挟んで配置された一対の光リフレクタにより、省電力を図り、メンテナンスの頻度を減少すると共に、展示空間における照度むらが低減される照明装置および自動販売機が記載されている。
【特許文献１】特開２００５−１４２０３２号公報
【特許文献２】特開２００８−１８６６８８号公報
【考案の開示】
【考案が解決しようとする課題】
【０００３】
前述した特許文献１及び特許文献２は、省電力化やメンテナンスの頻度を少なくすることについてその効果が期待できるが、商品見本の展示空間、及び、広告体を配置する広告スペースの照明を均一化する点で、十分ではない。
例えば、特許文献１は、Ｖ形溝の斜面及び反射シートにより反射されて発光面の全面から出射するが、反射した光がそのまま出射されるので、まぶしすぎるという問題がある。
又、特許文献２は、照度むらが低減されるが、照明を十分に均一化するものではない。
【０００４】
以上の現状に鑑み、本考案の目的は、商品見本の展示空間、及び、広告体を配置する広告スペースの照明を均一且つやわらかな光にすると共に、省電力化し、且つメンテナンスの頻度を減少することができる自動販売機を提供する。
【課題を解決するための手段】
【０００５】
上記の課題を解決すべく、本考案は以下の構成を提供する。
請求項１に係る考案は、展示空間に配置した光透過性の商品見本の背面に面状発光体を設けた自動販売機であって、前記面状発光体は、前記商品見本の背面の略全面に及んで配置され、導光板と、前記導光板の全後面を覆う反射シートと、前記導光板の全前面を覆う拡散シートと、前記導光板の端面側に配置される１乃至複数のＬＥＤと、前記ＬＥＤを被包すると共に、前記導光板、反射シート及び拡散シートの端辺を被包する光非透過性の枠体とを備え、前記導光板は、全後面に前記ＬＥＤの光を反射させる反射部が形成され、前記ＬＥＤの光を前記導光板によって前記導光板中に導き、前記反射部及び前記反射シートによって反射させ、前記拡散シートによって拡散させることにより、前記ＬＥＤの光を前記導光板前面の略全面から前方に略均一に照射し、前記商品見本を透過させて前記展示空間の前方へ照射させるように構成されたことを特徴とする自動販売機を提供するものである。
【０００６】
請求項２に係る考案は、前記ＬＥＤは、前記導光板の上下端面側、前記導光板の左右端面側、前記導光板の上端面側、前記導光板の下端面側、前記導光板の左端面側、又は、前記導光板の右端面側のいずれかに配置されることを特徴とする請求項１記載の自動販売機を提供するものである。
【０００７】
請求項３に係る考案は、前記展示空間内の前記商品見本の上方に、光透過性のロゴ表示体が配設されるロゴスペースが設けられ、前記面状発光体は、前記ロゴ表示体の背面全面に及んで延設され、前記ＬＥＤは、前記導光板の左右端面側、前記導光板の左端面側、又は、前記導光板の右端面側のいずれかに複数個配置され、前記面状発光体の前記ロゴ表示体の背面側に位置して配置されたＬＥＤと、前記商品見本の背面側に位置して配置されたＬＥＤとは、夫々別々に点滅及び／又は調光制御されるように構成されていることを特徴とする請求項１記載の自動販売機を提供するものである。
【０００８】
請求項４に係る考案は、前記展示空間内の前記商品見本の上方に、光透過性のロゴ表示体が配設されるロゴスペースが設けられ、前記面状発光体は、前記ロゴ表示体の背面全面に及んで延設され、前記ＬＥＤは、前記導光板の上下端面側、前記導光板の上端面側、又は、前記導光板の下端面側のいずれかに配置され、前記面状発光体の前記反射部は、前記商品見本の背面に位置する範囲よりも、前記ロゴ表示体の背面に位置する範囲がより多く反射するように形成されていることを特徴とする請求項１記載の自動販売機を提供するものである。
【０００９】
請求項５に係る考案は、展示空間に配置した光透過性の商品見本の背面に面状発光体を設けた自動販売機であって、前記展示空間内の前記商品見本の上方に、光透過性のロゴ表示体が配設されるロゴスペースが設けられ、
前記面状発光体は、前記商品見本の背面と、前記ロゴ表示体の背面とに、夫々の背面の略全面に及んで夫々配置され、導光板と、前記導光板の全後面を覆う反射シートと、前記導光板の全前面を覆う拡散シートと、前記導光板の端面側に配置される１乃至複数のＬＥＤと、前記ＬＥＤを被包すると共に、前記導光板、反射シート及び拡散シートの端辺を被包する光非透過性の枠体とを備え、
前記導光板は、全後面に前記ＬＥＤの光を反射させる反射部が形成され、
前記面状発光体のＬＥＤは、前記面状発光体毎に夫々、別々に点滅及び／又は調光制御されるように構成され、
前記ＬＥＤの光を前記導光板によって前記導光板中に導き、前記反射部及び前記反射シートによって反射させ、前記拡散シートによって拡散させることにより、前記ＬＥＤの光を前記導光板前面の略全面から前方に略均一に照射し、前記ロゴ表示体又は前記商品見本を透過させて前記展示空間の前方へ照射させるように構成されたことを特徴とする自動販売機を提供するものである。
【００１０】
請求項６に係る考案は、広告スペースに配置した光透過性の広告体の背面に面状発光体を設けた自動販売機であって、前記面状発光体は、前記広告体の略全面に及んで広がる導光板と、前記導光板の全後面を覆う反射シートと、前記導光板の全前面を覆う拡散シートと、前記導光板の端面側に配置される１乃至複数のＬＥＤと、前記ＬＥＤを被包すると共に、前記導光板、反射シート及び拡散シートの端辺を被包する光非透過性の枠体とを備え、前記導光板は、全後面に前記ＬＥＤの光を反射させる反射部が形成され、前記ＬＥＤの光を前記導光板によって前記導光板中に導き、前記反射部及び前記反射シートによって反射させ、前記拡散シートによって拡散させることにより、前記ＬＥＤの光を前記導光板前面の略全面から前方に略均一に照射し、前記広告体を透過させて前記広告スペースの前方へ照射させるように構成されたことを特徴とする自動販売機を提供するものである。
【００１１】
請求項７に係る考案は、前記反射部は、前記導光板の後面全面に並行に形成されるＶ形溝、又は、前記導光板の後面全面に印刷されるドットパターンであることを特徴とする請求項１乃至６のうちいずれか一に記載の自動販売機用照明装置を提供するものである。
【考案の効果】
【００１２】
本考案の請求項１記載の考案によれば、商品見本の展示空間の照明を均一な光にすると共に、省電力化し、且つメンテナンスの頻度を減少することができる自動販売機を提供することができる。又、本考案に於いては、従来例の特許文献１に比較して、拡散シートが設けられることにより、目に優しいやわらかな光を得ることができ、自動販売機の販売効果を高めることができる。
【００１３】
請求項２記載の考案によれば、請求項１記載の考案の効果に加え、ＬＥＤの配置場所を用途によって選択することが可能である。
【００１４】
請求項３記載の考案によれば、請求項１記載の考案の効果に加え、ロゴ表示体が配設されるロゴスペースの照明を均一且つやわらかな光にすることができると共に、ロゴ表示体の背面側に位置して配置されたＬＥＤと、商品見本の背面側に位置して配置されたＬＥＤとは、夫々別々に点滅及び／又は調光することにより、ロゴ表示体と、商品見本との点滅及び／又は調光を異ならせることができる。例えば、ロゴ表示体は常時比較的明るく照らし、商品見本は、必要に応じて減光したり、消灯させることができる。
【００１５】
請求項４記載の考案によれば、請求項１記載の考案の効果に加え、ロゴ表示体が配設されるロゴスペースの照明を均一且つやわらかな光にすることができると共に、商品見本よりも、ロゴ表示体がより明るくなり、ロゴによる広告効果を高めることができる。
【００１６】
請求項５記載の考案によれば、請求項１記載の考案の効果に加え、ロゴ表示体が配設されるロゴスペースの照明を均一且つやわらかな光にすることができると共に、ロゴ表示体と、商品見本との点滅及び／又は調光を異ならせることができる。例えば、ロゴ表示体は常時比較的明るく照らし、商品見本は、必要に応じて減光したり、消灯させることができる。又、既製の面状発光体を利用でき、製造が容易になると共に、製造費のコストダウンを図ることができる。
【００１７】
請求項６記載の考案によれば、広告スペースの照明を均一且つやわらかな光にすると共に、省電力化し、且つメンテナンスの頻度を減少することができる自動販売機を提供することができる。
【００１８】
請求項７記載の考案によれば、請求項１乃至６のうちいずれか一に記載の考案の効果に加え、Ｖ形溝、又は、ドットパターンによって容易に反射部を形成することができる。
【考案を実施するための最良の形態】
【００１９】
以下、実施例を示した図面を参照しつつ本考案の実施の形態を説明する。
図１に於いて、１は、本考案による自動販売機であり、自動販売機１は、展示空間２に配置した、プラスチック又はガラス等から成る光透過性の商品見本３，３…の背面に、図２（ａ）に示すように、面状発光体４を設けたものであり、面状発光体４は商品見本３，３…の背面の略全面に及んで配置され、導光板６と、導光板６の全後面を覆う反射シート７と、導光板６の全前面を覆う拡散シート８と、図２（ｂ）に示す如く、導光板６の端面側に配置される１乃至複数のＬＥＤ９，９…と、ＬＥＤ９，９…を被包すると共に、導光板６、反射シート７及び拡散シート８の端辺を被包する、例えば、金属製、或いは、プラスチック製等の光非透過性の枠体１０とを備え、導光板６は、全後面にＬＥＤ９，９…の光を反射させる、例えば、図３（ａ）に示す反射部１１が形成されている。図３（ａ）に示す反射部１１は導光板６後面に、同図に於いて、前後方向に延びる複数の並行するＶ形溝が形成されている。
尚、図２に示した前記面状発光体４は平面板であるが、これに限定されるものではなく、曲面板、或いは、波形板等、他の形状であっても良い。
【００２０】
そして、図２に示す如く、ＬＥＤ９，９…の光を導光板６によって導光板６中に導き、反射部１１及び反射シート７によって反射させ、拡散シート８によって拡散させることにより、ＬＥＤ９，９…の光を導光板６前面の略全面から前方に略均一に照射し、商品見本３，３…を透過させて展示空間２の前方へ照射させるように構成されている。
【００２１】
前記ＬＥＤ９は、図２（ｂ）に於いて、導光板６の左端面側に配置されているが、これに限定されることなく、導光板６の上下端面側、導光板６の左右端面側、導光板６の上端面側、導光板６の下端面側、導光板６の左端面側、又は、導光板６の右端面側の少なくとも一つに適宜配置されてもよい。
【００２２】
又、図１に示すように、展示空間２内の商品見本３，３…の上方に、光透過性のロゴ表示体２１が配設されるロゴスペース２２が設けられ、面状発光体４は、ロゴ表示体２１の背面全面に及んで延設され、ＬＥＤ９，９…は、導光板６の左右端面側、導光板６の左端面側、又は、導光板６の右端面側のいずれかに一端面に付き複数個配置され、面状発光体４のロゴ表示体２１の背面側に位置して配置されたＬＥＤ９，９…と、商品見本の背面側に位置して配置されたＬＥＤ９，９…とは、夫々別々に点滅及び／又は調光制御される。
【００２３】
ロゴ表示体２１の背面側に位置して配置されたＬＥＤ９，９…と、商品見本３，３…の背面側に位置して配置されたＬＥＤ９，９…とは、夫々別々に点滅又は調光することにより、ロゴ表示体２１と、商品見本３，３…との点滅又は調光を異ならせることができる。
例えば、ロゴ表示体２１は常時比較的明るく照らし、商品見本３，３…は、必要に応じて減光したり、消灯させることができる。
【００２４】
或いは、ロゴ表示体２１と、商品見本３，３…の明るさを変える方法として、面状発光体４が、ロゴ表示体２１の背面全面に及んで延設された状態で、ＬＥＤ９，９…は、導光板６の上下端面側、導光板６の上端面側、又は、導光板６の下端面側のいずれかに配置され、面状発光体４の反射部１１は、詳細は後述するが、商品見本の背面に位置する範囲よりも、ロゴ表示体２１の背面に位置する範囲がより多く反射するように形成されても良い｛図３（ｃ）参照｝。
尚、図１に於いて、２３は商品見本３，３…を見て、商品を選択する商品選択部、２４は商品取出口、２５は紙幣挿入部、２６は硬貨挿入口、２７はおつり返却口である。
又、図２（ａ）に於いて、２８は、透明の前面板であり、前記ロゴ表示体２１に代えて、前面板２８にロゴが表示されても良い。
【００２５】
図３は、前記反射部１１の詳細図を示しており、反射部１１は、同図（ａ）に示す如く、導光板６の後面全面に並行にＶ形溝が形成され、又は、同図（ｂ）に示す如く、導光板６の後面全面に反射塗料がドットパターンとしてシルク印刷される。
そして、ＬＥＤ９，９…が導光板６の上端面側にある場合は、同図（ａ）に示す如く、入射面から近い部位にある上方のＶ形溝のピッチを広くし、入射面から遠くなるにつれて下方のＶ形溝のピッチを漸次狭くしている。これにより、光は導光板６の前面から上下均一に出射する。
同様に、同図（ｂ）に示すドットパターンも、入射面から近い部位にある上方のドットパターンのピッチを広くし、入射面から遠くなるにつれて下方のドットパターンのピッチを漸次狭くしている。これにより、光は導光板６の前面から上下均一に出射する。
【００２６】
同図（ｃ）は、前述した、ロゴ表示体２１と、商品見本３，３…の明るさを変える方法の一例を示したものである。
同図（ｃ）は、前記同図（ａ）の反射部１１に於いて、ロゴ表示体２１の背面に位置する範囲Ｓ１が他の範囲に比較して、より多く反射されるように、ロゴ表示体２１の背面に位置する範囲Ｓ１に於いて、Ｖ形溝のピッチを更に狭くしたものである。
これにより、導光板６の前面から出射する光は、ロゴ表示体２１の背面に位置する範囲Ｓ１が他の範囲Ｓ２に比べて明るくなる。
尚、反射部１１がドットパターンで形成される場合に於いても、ドットパターンのピッチを範囲Ｓ１に於いて更に狭くすることにより、同様な効果を得ることができる。
【００２７】
更に、前記自動販売機１は、図１及び図４に示す如く、自動販売機１の左下半部に広告を印刷した光透過性の広告板３１を配設する広告スペース３２が設けられ、広告板３１の背面に面状発光体３３が設けられている。面状発光体３３は、基本的に、前記面状発光体（図２に於いて４）と同様の構成であるが、広告板３１に合わせてサイズが異なるものである。
【００２８】
そして、図４に示す面状発光体３３のＬＥＤ３４，３４…の光は、導光板３５によって導光板３５中に導かれ、反射部３６及び反射シート３７によって反射され、拡散シート３８によって拡散されることにより、ＬＥＤ３４，３４…の光を導光板３５前面の略全面から前方に略均一に照射し、広告板３１を透過させて広告スペース３２の前方へ照射するように構成されている。
尚、図４に於いて、広告板３１は、広告スペース３２に於ける透明の前面板３９の後方に配設されているが、前面板３９に代えて、前面板３９の位置に広告板３１を設けても良い。又、図４に於いて、４０は枠体である。
【００２９】
図５は、前記図２の変形例であり、図２に於いては面状発光体４が１個設けられたが、図５に於いては、面状発光体４が商品見本３，３…の背面と、ロゴ表示体２１の背面とに、夫々の背面の略全面に及んで夫々配置されたものである。
そして、面状発光体４，４のＬＥＤは、面状発光体毎に夫々、別々に点滅及び／又は調光制御されるように構成されている。
これにより、ロゴ表示体２１と、商品見本３，３…との点滅及び／又は調光を異ならせることができる。例えば、ロゴ表示体２１は常時比較的明るく照らし、商品見本３，３…は、必要に応じて減光したり、消灯させることができる。又、既製の面状発光体を加工することなく利用でき、製造が容易になると共に、製造費のコストダウンを図ることができる。
【図面の簡単な説明】
【００３０】
【図１】本考案による自動販売機の正面図である。
【図２】（ａ）本考案による展示空間の側面断面図である。（ｂ）本考案による展示空間の面状発光体の正面図である。
【図３】（ａ）反射部をＶ形溝で形成した本考案による導光板の側面断面図である。（ｂ）反射部をドットパターンで形成した本考案による導光板の側面断面図である。（ｃ）ロゴ表示体の背面に位置する範囲の反射部のＶ形溝のピッチを狭くした、本考案による導光板の側面断面図である。
【図４】（ａ）本考案による広告スペースの側面断面図である。（ｂ）本考案による広告スペースの面状発光体の正面図である。
【図５】（ａ）本考案による変形例の展示空間の側面断面図である。
【符号の説明】
【００３１】
１  自動販売機
２  展示空間
３  商品見本
４，３３  面状発光体
５  後壁面
６，３５  導光板
７，３７  反射シート
８，３８  拡散シート
９，３４  ＬＥＤ
１０，４０  枠体
１１，３６  反射部
２１  ロゴ表示体
２２  ロゴスペース
３１  広告板
３２  広告スペース
【図１】
0003148425.tif 000003
【図２】
0003148425.tif 000004
【図３】
0003148425.tif 000005
【図４】
0003148425.tif 000006
【図５】
0003148425.tif 000007